(57)【特許請求の範囲】
【請求項１】
接続対象物との圧接により少なくとも一部が弾性変形するように形成された電気接続用端子において、
一端側に、接続対象物と線接触または面接触する第１の接触部と、第１の接触部と同一方向から接続対象物と点接触する第２の接触部とを幅方向に少なくとも一つずつ一体に有するとともに、
第１の接触部を第２の接触部よりも幅寸法が大きくなるように形成し、
第２の接触部を、第１の接触部よりも接続対象物側に位置するように形成することにより、第１の接触部よりも変位量が大きくなるようにした
ことを特徴とする電気接続用端子。
【請求項２】
前記第１の接触部及び第２の接触部を二股状に形成した
ことを特徴とする請求項１記載の電気接続用端子。
【請求項３】
前記第１の接触部及び第２の接触部をそれぞれ板状に形成するとともに、第２の接触部には接続対象物に接触する突部を設けた
ことを特徴とする請求項１または２記載の電気接続用端子。
【発明の詳細な説明】
【技術分野】
【０００１】
本発明は、プリント基板やコネクタの絶縁体等に取付けられて使用される電気接続用端子に関するものである。
【背景技術】
【０００２】
従来、この種の電気接続用端子としては、接続対象物との圧接により少なくとも一部が弾性変形するように形成され、一端側に接続対象物との接触部を有するとともに、接触部を接続対象物に対して凸状をなすように湾曲した平板状に形成し、接触部を接続対象物の導電部に幅方向に線接触させるようにしたものが知られている（例えば、特許文献１参照。）。また、接続対象物との接触部に接続対象物に向かって部分的に突出する突部を設け、突部を接続対象物に点接触させるようにしたものも知られている（例えば、特許文献２参照。）。
【特許文献１】特開２００３−１７０６１６号公報
【特許文献２】特開２００３−０４５５２１号公報
【発明の開示】
【発明が解決しようとする課題】
【０００３】
ところで、接触部を接続対象物に線接触させるようにしたものでは、接続対象物との接触範囲が広いため、局部的な摩耗が少なく、変位の繰り返しに対する耐久性は高いが、接触部分の傾斜等により接触位置が接触線方向に偏るなど、接触位置が不安定になり易く、接続信頼性に劣るという問題点があった。このような問題点は、接触部を面接触させるものにおいても同様に生じていた。また、接触部を接続対象物に点接触させるようにしたものでは、接続対象物との接触範囲が狭いため、接触位置が安定して接続信頼性を高めることはできるが、接触圧が集中的に加わってメッキ等の表面処理が削られるなど、局部的な摩耗を生じ易く、変位の繰り返しに対する耐久性に劣るという問題点があった。
【０００４】
本発明は前記問題点に鑑みてなされたものであり、その目的とするところは、接続信頼性のみならず変位の繰り返しに対する耐久性にも優れた電気接続用端子を提供することにある。
【課題を解決するための手段】
【０００５】
本発明は前記目的を達成するために、接続対象物との圧接により少なくとも一部が弾性変形するように形成された電気接続用端子において、一端側に、接続対象物と線接触または面接触する第１の接触部と、第１の接触部と同一方向から接続対象物と点接触する第２の接触部とを幅方向に少なくとも一つずつ一体に有するとともに、第１の接触部を第２の接触部よりも幅寸法が大きくなるように形成し、第２の接触部を、第１の接触部よりも接続対象物側に位置するように形成することにより、第１の接触部よりも変位量が大きくなるようにしている。
【０００６】
これにより、接続対象物と第１及び第２の接触部とを圧接させることにより、第１の接触部が接続対象物と線接触または面接触し、第２の接触部が接続対象物と点接触する。また、第１の接触部の幅寸法が第２の接触部の幅寸法よりも大きいので、第１の接触部と接続対象物との接触範囲が第１の接触部の幅方向に広くなる。この場合、第２の接触部は、第１の接触部よりも接続対象物側に位置するように形成されることにより、第１の接触部よりも変位量が大きくなるように形成されているので、第１の接触部の幅寸法が第２の接触部の幅寸法よりも大きく形成されていても、第１及び第２の接触部と接続対象物との接触圧がほぼ等しくなる。
【発明の効果】
【０００７】
本発明の電気接続用端子によれば、接続対象物と線接触または面接触する第１の接触部によって変位の繰り返しに対する耐久性を高めることができ、接続対象物と点接触する第２の接触部によって接続信頼性を高めることができるので、プリント基板やコネクタの絶縁体等に取付けて使用する場合に極めて有利である。また、第１の接触部と接続対象物との接触範囲を第１の接触部の幅方向に広くすることができるので、第１の接触部と接続対象物との接続信頼性の向上を図ることができる。この場合、第１の接触部の幅寸法が第２の接触部の幅寸法よりも大きく形成されていても、第１及び第２の接触部と接続対象物との接触圧をほぼ等しくすることができるので、第１及び第２の接触部における接触圧の偏りを少なくすることができる。
【発明を実施するための最良の形態】
【０００８】
図１乃至図４は本発明の一実施形態を示すもので、図１は電気接続用端子の斜視図、図２はその側面図、図３はその正面図、図４はその屈曲状態を示す正面図である。
【０００９】
この電気接続用端子は導電性の金属板からなり、一端側に接続対象物と接触する第１及び第２の接触部１，２を有し、その他端側には図示しない基板に接続される接続部３が設けられている。各接触部１，２と接続部３との間には略Ｕ字状に屈曲する屈曲部４が設けられ、屈曲部４及び各接触部１，２は上下方向に弾性変形可能に形成されている。また、接続部３の幅方向両側には上方に延びる一対の側壁部５が設けられている。
【００１０】
第１及び第２の接触部１，２は屈曲部４の一端側から斜め上方に二股状に延びる平板状に形成され、それぞれ上端側を略Ｕ字状に屈曲させている。また、各接触部１，２は上端側から斜め下方に延びるとともに、その先端側を略水平に形成されている。第１接触部１の上端側は幅方向に均一な高さに形成され、相手側導電体Ａと線接触するようになっている。第２接触部２は、その上端側の幅方向中央に前記屈曲部分に沿って延びる突部２ａを有し、突部２ａを相手側導電体Ａと点接触させるようになっている。また、図３に示すように第１の接触部１の幅寸法Ｗ1 は第２の接触部２の幅寸法Ｗ2 よりも大きく形成され、第２の接触部２は突部２ａの上端が第１の接触部１の上端よりも高さＨだけ上方に位置するように形成されている。
【００１１】
接続部３は平坦な板状に形成され、例えば半田付けによって基板に固定されることにより、基板に電気的に接続されるようになっている。
【００１２】
屈曲部４は一端側が各接触部１，２に連続するように形成され、その他端側は接続部３に連続するように形成されている。
【００１３】
各側壁部５は上端側を第１及び第２の接触部１，２の先端側の上方に位置するように各接触部１，２の幅方向内側に向かって屈曲しており、各側壁部５の上端側には各接触部１，２の先端側がそれぞれ下方から係止するようになっている。
【００１４】
以上のように構成された電気接続用端子においては、相手側導電体Ａと第１及び第２の接触部１，２とを圧接させることにより、各接触部１，２及び屈曲部４が下方に弾性変形し、第１及び第２の接触部１，２と相手側導電体Ａとが電気的に接続される。その際、第１の接触部１はその上端を相手側導電体Ａと線接触し、第２の接触部２は突部２ａの上端を相手側導電体Ａと点接触する。また、第１の接触部１の幅寸法Ｗ1 は第２の接触部２の幅寸法Ｗ2 よりも大きく形成されているため、第１の接触部１と相手側導電体Ａとの接触範囲が第１の接触部１の接触線方向に広くなる。この場合、接続前の第２の接触部２の突部２ａの上端は第１の接触部１の上端よりも高さＨだけ上方に位置していることから、相手側導電体Ａが各接触部１，２にそれぞれ圧接すると、第２の接触部２の変位量は第１の接触部１よりも大きくなるため、第１の接触部１の幅寸法Ｗ1 が第２の接触部２の幅寸法Ｗ2 よりも大きく形成されていても、第１及び第２の接触部１，２と相手側導電体Ａとの接触圧はほぼ等しくなる。
【００１５】
このように、本実施形態の電気接続用端子によれば、一端側に相手側導電体Ａと接触する第１及び第２の接触部１，２を設け、第１の接触部１を相手側導電体Ａと線接触するように形成し、第２の接触部２を相手側導電体Ａと点接触するように形成したので、相手側導電体Ａと線接触する第１の接触部１によって変位の繰り返しに対する耐久性を高めることができ、相手側導電体Ａと点接触する第２の接触部２によって接続信頼性を高めることができる。
【００１６】
この場合、第１及び第２の接触部１，２を互いに二股状に形成したので、各接触部１，２を容易に形成することができ、製造上極めて有利である。
【００１７】
また、第１及び第２の接触部１，２をそれぞれ板状に形成するとともに、第２の接触部２には相手側導電体Ａに接触する突部２ａを設けたので、第１の接触部１と相手側導電体Ａとの線接触及び第２の接触部２と相手側導電体Ａとの点接触を確実に行うことができる。
【００１８】
更に、第１の接触部１の幅寸法Ｗ1 を第２の接触部２の幅寸法Ｗ2 よりも大きく形成したので、第１の接触部１と相手側導電体Ａとの接触範囲を第１の接触部１の接触線方向に広くすることができ、第１の接触部１と相手側導電体Ａとの接続信頼性の向上を図ることができる。この場合、第２の接触部２を第１の接触部１よりも変位量が大きくなるように形成したので、第１の接触部１の幅寸法Ｗ1 が第２の接触部２の幅寸法Ｗ2 よりも大きく形成されていても、第１及び第２の接触部１，２と相手側導電体Ａとの接触圧をほぼ等しくすることができ、第１及び第２の接触部１，２における接触圧の偏りを少なくすることができる。
【００１９】
尚、前記実施形態では、第１の接触部１を相手側導電体Ａに線接触させるようにしたものを示したが、面接触させるようにしてもよい。
【００２０】
また、前記実施形態では、第１の接触部１と第２の接触部２とを一つずつ設けたものを示したが、少なくとも一方を複数設けるようにしてもよい。
【００２１】
図５及び図６は本発明の他の実施形態を示すもので、図５は電気接続用端子の斜視図、図６はその側面図である。
【００２２】
本実施形態の電気接続用端子は導電性の金属板からなり、細長い板状に形成されている。即ち、この電気接続用端子は、例えばコネクタに取付けて使用されるものであり、一端側に接続対象物と接触する第１及び第２の接触部６，７を有し、その他端側には図示しないコネクタ本体に保持される保持部８が設けられている。第１の接触部６の幅寸法は第２の接触部７の幅寸法よりも大きく形成され、第２の接触部７には図示しない相手側導電体に接触する突部７ａが設けられている。
【００２３】
即ち、本実施形態の電気接続用端子では、前記実施形態と同様、第１の接触部６を相手側導電体と線接触させるとともに、第２の接触部７を相手側導電体と点接触させることができるので、相手側導電体と線接触する第１の接触部６によって変位の繰り返しに対する耐久性を高めることができ、相手側導電体と点接触する第２の接触部７によって接続信頼性を高めることができる。
【図面の簡単な説明】
【００２４】
【図１】本発明の一実施形態を示す電気接続用端子の斜視図
【図２】電気接続用端子の側面図
【図３】電気接続用端子の正面図
【図４】電気接続用端子の屈曲状態を示す正面図
【図５】本発明の他の実施形態を示す電気接続用端子の斜視図
【図６】電気接続用端子の正面図
【符号の説明】
【００２５】
１…第１の接触部、２…第２の接触部、２ａ…突部、６…第１の接触部、７…第２の接触部、７ａ…突部。
【図１】
0004658508.tif 000002
【図２】
0004658508.tif 000003
【図３】
0004658508.tif 000004
【図４】
0004658508.tif 000005
【図５】
0004658508.tif 000006
【図６】
0004658508.tif 000007